(57)【要約】【課題】  マルチチャンネル音声データに、１つのＡＶアンプがスピーカーに出力できるチャンネル以外のチャンネルの音声データが含まれている場合にも、それら各チャンネルの音声データをスピーカーに出力すること。【解決手段】  ＡＶアンプ２０Ａ及び２０Ｂには、マルチチャンネル音声データが供給される。ＡＶアンプ２０Ａは、マルチチャンネル音声データに第１設定手段によって記憶されているチャンネルが含まれていると判断された場合、マルチチャンネル音声データに含まれかつ第１設定手段によって記憶されているチャンネルの音声データを再生し、スピーカーに出力する。ＡＶアンプ２０Ｂは、マルチチャンネル音声データに第２設定手段によって記憶されているチャンネルが含まれていると判断された場合、マルチチャンネル音声データに含まれかつ第２設定手段によって記憶されているチャンネルの音声データを再生し、スピーカーに出力する。【選択図】図１２
2010226317.tif 000002
【特許請求の範囲】
【請求項１】
第１の音声処理装置と、第２の音声処理装置とを備え、
前記第１の音声処理装置が、マルチチャンネル音声データを受信する第１受信手段と、
複数チャンネルの内、前記第１音声処理装置がスピーカーに出力するチャンネルを記憶する第１設定手段と、
マルチチャンネル音声データに前記第１設定手段によって記憶されているチャンネルが含まれているか否かを判断する第１判断手段と、
マルチチャンネル音声データに前記第１設定手段によって記憶されているチャンネルが含まれていると判断された場合、マルチチャンネル音声データに含まれかつ前記第１設定手段によって記憶されているチャンネルの音声データをスピーカーに出力する第１再生手段とを有し、
前記第２の音声処理装置が、マルチチャンネル音声データを受信する第２受信手段と、
複数チャンネルの内、前記第２音声処理装置がスピーカーに出力するチャンネルを記憶する第２設定手段と、
マルチチャンネル音声データに前記第２設定手段によって記憶されているチャンネルが含まれているか否かを判断する第２判断手段と、
マルチチャンネル音声データに前記第２設定手段によって記憶されているチャンネルが含まれていると判断された場合、マルチチャンネル音声データに含まれかつ前記第２設定手段によって記憶されているチャンネルの音声データをスピーカーに出力する第２再生手段とを有する、音声再生システム。
【請求項２】
第１の音声処理装置と、第２の音声処理装置とを備え、
前記第１の音声処理装置が、マルチチャンネル音声データを受信する第１受信手段と、
複数チャンネルの内、前記第１音声処理装置がスピーカーに出力するチャンネルを記憶する第１設定手段と、
複数チャンネルの内、前記第２音声処理装置がスピーカーに出力するチャンネルを記憶する第２設定手段と、
マルチチャンネル音声データに前記第１設定手段によって記憶されているチャンネルが含まれているか否かを判断する第１判断手段と、
マルチチャンネル音声データに前記第１設定手段によって記憶されているチャンネルが含まれていると判断された場合、マルチチャンネル音声データに含まれかつ前記第１設定手段によって記憶されているチャンネルの音声データをスピーカーに出力する第１再生手段と、
マルチチャンネル音声データに前記第２設定手段によって記憶されているチャンネルが含まれているか否かを判断する第２判断手段と、
マルチチャンネル音声データに前記第２設定手段によって記憶されているチャンネルが含まれていると判断された場合、マルチチャンネル音声データに含まれかつ前記第２設定手段によって記憶されているチャンネルの音声データを前記第２の音声処理装置に送信する送信手段とを有し、
前記第２の音声処理装置が、前記送信手段から音声データを受信する第２受信手段と、
受信した音声データをスピーカーに出力する第２再生手段とを有する、音声再生システム。
【請求項３】
前記第１の音声処理装置が、複数チャンネルの内、前記第２音声処理装置がスピーカーに出力するチャンネルを記憶する第２設定手段と、
マルチチャンネル音声データに前記第１設定手段及び前記第２設定手段のいずれにも記憶されていないチャンネルが含まれているか否かを判断する第３判断手段と、
マルチチャンネル音声データに前記第１設定手段及び前記第２設定手段のいずれにも記憶されていないチャンネルが含まれていると判断された場合、マルチチャンネル音声データに含まれかつ前記第１設定手段及び前記第２設定手段のいずれにも記憶されていないチャンネルを、前記第１設定手段によって記憶されているチャンネルの音声データに混合する混合手段とをさらに有する、請求項１または２に記載の音声再生システム。
【請求項４】
前記第１の音声処理装置が、通常状態と低消費電力状態とを有し、
マルチチャンネル音声データに前記第１設定手段によって記憶されているチャンネルが含まれていると判断された場合、通常状態に移行し、マルチチャンネル音声データに前記第１設定手段によって記憶されているチャンネルが含まれていないと判断された場合、低消費電力状態に移行し、
前記第２の音声処理装置が、通常状態と低消費電力状態とを有し、
マルチチャンネル音声データに前記第２設定手段によって記憶されているチャンネルが含まれていると判断された場合、通常状態に移行し、マルチチャンネル音声データに前記第２設定手段によって記憶されているチャンネルが含まれていないと判断された場合、低消費電力状態に移行する、請求項１〜３のいずれかに記載の音声再生システム。
【請求項５】
前記第１受信手段が、第１マルチチャンネル音声データと第２マルチチャンネル音声データとを受信し、
前記第１の音声処理装置が、複数チャンネルの内、前記第２音声処理装置がスピーカーに出力するチャンネルを記憶する第２設定手段と、
前記第１設定手段及び前記第２設定手段の記憶内容に基づいて、第１マルチチャンネル音声データと第２マルチチャンネル音声データとのいずれか一方を、再生するマルチチャンネル音声データとして選択する選択手段をさらに有する、請求項１〜４のいずれかに記載の音声再生システム。
【請求項６】
請求項１〜５のいずれかに記載の音声再生システムにおける前記第１の音声処理装置。
【請求項７】
請求項６に記載の前記第１の音声処理装置の各手段をコンピュータに実行させる音声処理プログラム。
【発明の詳細な説明】
【技術分野】
【０００１】
本発明は、マルチチャンネル音声データを再生する音声処理装置に関する。
【背景技術】
【０００２】
ＨＤＭＩ規格に準拠したソース機器であるＢＤ（Blue-lay
Disc）プレーヤと、リピーター機器であるＡＶアンプと、シンク機器であるディスプレイ装置とを備える音声再生システムが利用されている。ＡＶアンプは、ＢＤプレーヤから受信したＨＤＭＩデータを元の映像データ及び音声データに変換し、音声データを増幅してスピーカーに出力すると共に、映像データを再度ＨＤＭＩデータに変換し、ディスプレイ装置に送信する。ディスプレイ装置は、受信したＨＤＭＩデータを元の映像データに変換して表示する。
【０００３】
ＢＤプレーヤからＡＶアンプに送信されるＨＤＭＩデータに含まれている音声データは、マルチチャンネル音声データがエンコードされたものである。例えば、マルチチャンネル音声データは、図３に示すように、左音声データＬ、右音声データＲ、中央音声データＣ、低域音声データＬＦＥ，ＬＦＥ２、サラウンド左音声データＬｓ，Ｌｓｄ、サラウンド右音声データＲｓ，Ｒｓｄ、サラウンド後方左音声データＬｒｓ、サラウンド後方右音声データＲｒｓ、左中央側音声データＬｃ、右中央側音声データＲｃ、左外側音声データＬｗ、右外側音声データＲｗ、左上側音声データＬｈ、右上側音声データＲｈ、中央上側音声データＣｈ、サラウンド中央音声データＣｓ等を含む。なお、マルチチャンネル音声データには、これら全てのチャンネルの音声データが含まれているわけではなく、これらの中から選択された複数のチャンネルの音声データが含まれている。
【０００４】
ＡＶアンプは、コスト等を考慮して、これら全てのチャンネルに対応する増幅部やスピーカー出力端子が設けられていない。例えば、ＡＶアンプは、Ｌ，Ｒ，Ｃ，ＬＦＥ，Ｌｓ，Ｒｓ，Ｌｒｓ，Ｒｒｓ等の８チャンネル分の増幅部やスピーカー出力端子を備えており、残りのチャンネルＬｗ，Ｒｗ，Ｌｃ，Ｒｃ，Ｌｈ，Ｒｈ，Ｃｈ，ＬＦＥ２，Ｌｓｄ，Ｒｓｄ，Ｃｓに対応する増幅部やスピーカー出力端子を備えていない。この場合、ディスクにこれらのチャンネルの音声データが含まれている場合であっても、これらのチャンネルの音声データを再生し、スピーカーから音声を出力することができない。
【先行技術文献】
【特許文献】
【０００５】
【特許文献１】特開２００７−２８８２４７号公報
【発明の概要】
【発明が解決しようとする課題】
【０００６】
本発明は上記従来の課題を解決するためになされたものであり、その目的は、マルチチャンネル音声データに、１つの音声処理装置がスピーカーに出力できるチャンネル以外のチャンネルの音声データが含まれている場合にも、それら各チャンネルの音声データをスピーカーに出力することができる音声再生システムを提供することである。
【課題を解決するための手段】
【０００７】
本発明の好ましい実施形態による音声再生システムは、第１の音声処理装置と、第２の音声処理装置とを備え、前記第１の音声処理装置が、マルチチャンネル音声データを受信する第１受信手段と、複数チャンネルの内、前記第１音声処理装置がスピーカーに出力するチャンネルを記憶する第１設定手段と、マルチチャンネル音声データに前記第１設定手段によって記憶されているチャンネルが含まれているか否かを判断する第１判断手段と、マルチチャンネル音声データに前記第１設定手段によって記憶されているチャンネルが含まれていると判断された場合、マルチチャンネル音声データに含まれかつ前記第１設定手段によって記憶されているチャンネルの音声データをスピーカーに出力する第１再生手段とを有し、前記第２の音声処理装置が、マルチチャンネル音声データを受信する第２受信手段と、複数チャンネルの内、前記第２音声処理装置がスピーカーに出力するチャンネルを記憶する第２設定手段と、マルチチャンネル音声データに前記第２設定手段によって記憶されているチャンネルが含まれているか否かを判断する第２判断手段と、マルチチャンネル音声データに前記第２設定手段によって記憶されているチャンネルが含まれていると判断された場合、マルチチャンネル音声データに含まれかつ前記第２設定手段によって記憶されているチャンネルの音声データをスピーカーに出力する第２再生手段とを有する。
【０００８】
マルチチャンネル音声データに含まれているチャンネルの内、第１設定手段に記憶されているチャンネルの音声データは第１の音声処理装置によって再生され、第２設定手段に記憶されているチャンネルの音声データは第２の音声処理装置によって再生される。従って、マルチチャンネル音声データに、１つの音声処理装置がスピーカーに出力できるチャンネル以外のチャンネルの音声データが含まれている場合にも、それら各チャンネルの音声データをスピーカーに出力することができる。
【０００９】
本発明の別の好ましい実施形態による音声再生システムは、第１の音声処理装置と、第２の音声処理装置とを備え、前記第１の音声処理装置が、マルチチャンネル音声データを受信する第１受信手段と、複数チャンネルの内、前記第１音声処理装置がスピーカーに出力するチャンネルを記憶する第１設定手段と、複数チャンネルの内、前記第２音声処理装置がスピーカーに出力するチャンネルを記憶する第２設定手段と、マルチチャンネル音声データに前記第１設定手段によって記憶されているチャンネルが含まれているか否かを判断する第１判断手段と、マルチチャンネル音声データに前記第１設定手段によって記憶されているチャンネルが含まれていると判断された場合、マルチチャンネル音声データに含まれかつ前記第１設定手段によって記憶されているチャンネルの音声データをスピーカーに出力する第１再生手段と、マルチチャンネル音声データに前記第２設定手段によって記憶されているチャンネルが含まれているか否かを判断する第２判断手段と、マルチチャンネル音声データに前記第２設定手段によって記憶されているチャンネルが含まれていると判断された場合、マルチチャンネル音声データに含まれかつ前記第２設定手段によって記憶されているチャンネルの音声データを前記第２の音声処理装置に送信する送信手段とを有し、前記第２の音声処理装置が、前記送信手段から音声データを受信する第２受信手段と、受信した音声データをスピーカーに出力する第２再生手段とを有する。
【００１０】
好ましい実施形態においては、前記第１の音声処理装置が、複数チャンネルの内、前記第２音声処理装置がスピーカーに出力するチャンネルを記憶する第２設定手段と、マルチチャンネル音声データに前記第１設定手段及び前記第２設定手段のいずれにも記憶されていないチャンネルが含まれているか否かを判断する第３判断手段と、マルチチャンネル音声データに前記第１設定手段及び前記第２設定手段のいずれにも記憶されていないチャンネルが含まれていると判断された場合、マルチチャンネル音声データに含まれかつ前記第１設定手段及び前記第２設定手段のいずれにも記憶されていないチャンネルを、前記第１設定手段によって記憶されているチャンネルの音声データに混合する混合手段とをさらに有する。
【００１１】
この場合、マルチチャンネル音声データに含まれているチャンネルの内、第１設定手段及び第２設定手段のいずれにも記憶されていないチャンネルの音声データについては、第１設定手段に記憶されているチャンネルの音声データに混合することにより、再生することができる。
【００１２】
好ましい実施形態においては、前記第１の音声処理装置が、通常状態と低消費電力状態とを有し、マルチチャンネル音声データに前記第１設定手段によって記憶されているチャンネルが含まれていると判断された場合、通常状態に移行し、マルチチャンネル音声データに前記第１設定手段によって記憶されているチャンネルが含まれていないと判断された場合、低消費電力状態に移行し、前記第２の音声処理装置が、通常状態と低消費電力状態とを有し、マルチチャンネル音声データに前記第２設定手段によって記憶されているチャンネルが含まれていると判断された場合、通常状態に移行し、マルチチャンネル音声データに前記第２設定手段によって記憶されているチャンネルが含まれていないと判断された場合、低消費電力状態に移行する。
【００１３】
この場合、第１の音声処理装置と第２の音声処理装置との内、再生しない方の音声処理装置は低消費電力状態に移行するので、消費電力を低減することができる。
【００１４】
好ましい実施形態においては、前記第１受信手段が、第１マルチチャンネル音声データと第２マルチチャンネル音声データとを受信し、前記第１の音声処理装置が、複数チャンネルの内、前記第２音声処理装置がスピーカーに出力するチャンネルを記憶する第２設定手段と、前記第１設定手段及び前記第２設定手段の記憶内容に基づいて、第１マルチチャンネル音声データと第２マルチチャンネル音声データとのいずれか一方を、再生するマルチチャンネル音声データとして選択する選択手段をさらに有する。
【発明の効果】
【００１５】
マルチチャンネル音声データに、１つの音声処理装置がスピーカーに出力できるチャンネル以外のチャンネルの音声データが含まれている場合にも、それら各チャンネルの音声データをスピーカーに出力することができる。
【発明を実施するための形態】
【００１６】
以下、本発明の好ましい実施形態によるディスク再生装置（ソース機器、ＢＤプレーヤ）、音声処理装置（リピータ機器、ＡＶアンプ）及びディスプレイ装置（シンク機器）を備える音声再生システムついて、図面を参照して具体的に説明するが、本発明はこれらの実施形態には限定されない。
【００１７】
図１は、ＢＤプレーヤ１０及びＡＶアンプ２０Ａの構成を示すブロック図であり、図２は、ＡＶアンプ２０Ｂ及びディスプレイ装置４０の構成を示すブロック図である。ＢＤプレーヤ１０、ＡＶアンプ２０Ａ，２０Ｂ及びディスプレイ装置４０は、例えばＨＤＭＩ規格に準拠しており、ＨＤＭＩケーブルを介して相互に接続されている。ＢＤプレーヤ１０はディスクに記録されたマルチチャンネル音声データをＡＶアンプ２０Ａに送信する。ＡＶアンプ２０Ａは、マルチチャンネル音声データをＡＶアンプ２０Ｂに転送する。
【００１８】
マルチチャンネル音声データは、図３に示すように、左音声データＬ、右音声データＲ、中央音声データＣ、低域音声データＬＦＥ，ＬＦＥ２、サラウンド左音声データＬｓ，Ｌｓｄ、サラウンド右音声データＲｓ，Ｒｓｄ、サラウンド後方左音声データＬｒｓ、サラウンド後方右音声データＲｒｓ、左中央側音声データＬｃ、右中央側音声データＲｃ、左外側音声データＬｗ、右外側音声データＲｗ、左上側音声データＬｈ、右上側音声データＲｈ、中央上側音声データＣｈ、サラウンド中央音声データＣｓ等を含む。なお、マルチチャンネル音声データには、これら全てのチャンネルの音声データが含まれているわけではなく、これらの中から選択された複数のチャンネルの音声データが含まれている。
【００１９】
ＡＶアンプ２０Ａ，２０Ｂの各々は、自身がスピーカーに出力する（つまり、再生する）音声データのチャンネルをユーザ操作に基づいて設定する。ＡＶアンプ２０Ａ，２０Ｂは、マルチチャンネル音声データに含まれている各チャンネルの音声データの内、自身に設定されているチャンネルの音声データを再生する。
【００２０】
図４は、ＡＶアンプ２０Ａにおけるスピーカー設定テーブルの一例であり、ＡＶアンプ２０Ａは、マルチチャンネル音声データの各チャンネルの内、Ｌ，Ｒ，Ｃ，ＬＦＥ，Ｌｓ，Ｒｓ，Ｌｒｓ，Ｒｒｓをデコード及び再生し、スピーカーに出力する。図５は、ＡＶアンプ２０Ａに接続されるスピーカーのチャンネルと配置とを示す一例である。ＡＶアンプ２０Ａには、左スピーカーＳＬ、右スピーカーＳＲ、中央スピーカーＳＣ、低域スピーカーＳＬＦＥ、サラウンド左スピーカーＳＬｓ、サラウンド右スピーカーＳＲｓ、サラウンド後方左スピーカーＳＬｒｓ、サラウンド後方右スピーカーＳＲｒｓが接続されている。
【００２１】
図６は、ＡＶアンプ２０Ｂにおけるスピーカー設定テーブルの一例であり、ＡＶアンプ２０Ｂは、マルチチャンネル音声データの各チャンネルの内、Ｌｗ，Ｒｗ，Ｌｃ，Ｒｃ，ＬＦＥ２，Ｌｈ，Ｒｈ，Ｃｈをデコード及び再生し、スピーカーに出力する。図７は、ＡＶアンプ２０Ｂに接続されるスピーカーのチャンネルと配置とを示す一例である。ＡＶアンプ２０Ｂには、左外側スピーカーＳＬｗ、右外側スピーカーＳＲｗ、左中央側スピーカーＳＬｃ、右中央側スピーカーＳＲｃ、低域スピーカーＳＬＦＥ２、左上側スピーカーＳＬｈ、右上側スピーカーＳＲｈ、中央上側スピーカーＳＣｈが接続されている。
【００２２】
以上のように、ＡＶアンプ２０Ａ及び２０Ｂを相互に接続し、各々が異なるチャンネルの音声データを再生することによって、１つのＡＶアンプのみで音声データを再生する場合に比べて、多くのチャンネルの音声データを再生することができる。
【００２３】
［ＢＤプレーヤ１０の構成］
図１に示すように、ＢＤプレーヤ１０は、再生部１１と、ＨＤＭＩ送信部１３と、制御部１４と、操作表示部１５と、メモリ１６と、出力端子１７とを備える。
【００２４】
再生部１１は、ブルーレイディスク（以下、単にディスクという。）に記録されている映像データ及びマルチチャンネル音声データをディスクから読み出して、ＨＤＭＩ送信部１３に供給する。ＨＤＭＩ送信部１３は、再生部１１から供給された映像データ及びマルチチャンネル音声データを、ＨＤＭＩ規格のデータ（以下、ＨＤＭＩデータという。）に変換し、出力端子１７を介してＡＶアンプ２０に送信する。
【００２５】
制御部１４は、メモリ１６に格納されているＢＤプレーヤ１０の動作プログラムに基づいて、ＢＤプレーヤ１０の各部を制御するものであり、例えば、マイコンやＣＰＵ等である。制御部１４は、ＣＥＣラインを介してＡＶアンプ２０Ａの制御部２３Ａに接続され、制御部２３Ａとコマンドを送受信する。
【００２６】
［ＡＶアンプ２０Ａの構成］
図１に示すように、ＡＶアンプ２０Ａは、ＨＤＭＩ受信部２１Ａと、ＨＤＭＩ送信部２２Ａと、制御部２３Ａと、音声処理部２５Ａと、メモリ２６Ａと、操作部２７Ａと、表示部２８Ａと、入力端子２９Ａと、出力端子３０Ａと、電源回路３１Ａとを備える。
【００２７】
メモリ２６Ａには、図４に示すスピーカー設定テーブルが格納されている。スピーカー設定テーブルは、マルチチャンネル音声データに含まれる各チャンネルの内、ＡＶアンプ２０Ａが再生してスピーカーに出力するチャンネルを記憶するテーブルである。スピーカー設定テーブルは、操作部２７Ａを介してユーザ操作によって設定されるが、制御部２３Ａによって自動的に設定されてもよい。
【００２８】
ＨＤＭＩ受信部２１Ａは、ＢＤプレーヤ１０から送信されたＨＤＭＩデータを、入力端子２９Ａを介して受信し、受信したＨＤＭＩデータから元のマルチチャンネル音声データを生成し、音声処理部２５Ａに供給する。また、ＨＤＭＩ受信部２１Ａは、ＢＤプレーヤ１０から送信されたＨＤＭＩデータをＨＤＭＩ送信部２２Ａにそのまま供給する。
【００２９】
音声処理部２５Ａは、ＨＤＭＩ受信部２１Ａから供給されたマルチチャンネル音声データに所定の音声処理を実行し、外部に接続されたスピーカー６０Ａ（図５の各チャンネルのスピーカーに対応）に各チャンネルの音声信号を供給する。
【００３０】
図８は、音声処理部２５Ａの構成を示すブロック図である。音声処理部２５Ａは、ＤＳＰ５１Ａと、ＤＡＣ（デジタル−アナログ変換器）５２Ａと、ボリューム調整部５３Ａと、増幅部５４Ａとを有する。
【００３１】
ＤＳＰ５１Ａは、ＨＤＭＩ受信部２１Ａから供給されるマルチチャンネル音声データの各チャンネルの内、図４に示すスピーカー設定テーブルに記憶されているチャンネルの音声データをデコードする。本例では、Ｌ，Ｒ，Ｃ，ＬＦＥ，Ｌｓ，Ｒｓ，Ｌｒｓ，Ｒｒｓの各チャンネルの音声データがデコードされる。デコードされた各チャンネルの音声データは、ＤＡＣ５２Ａに供給される。
【００３２】
ＤＡＣ５２Ａは、ＤＳＰ５１Ａから供給された各チャンネルの音声データをデジタル−アナログ変換し、各チャンネルのアナログ音声信号を生成し、ボリューム調整部５３Ａに供給する。ボリューム調整部５３Ａは、各チャンネルのアナログ音声信号のボリューム値を調整し、増幅部５４Ａに供給する。増幅部５４Ａは、ボリューム調整部５３Ａから供給された各チャンネルの音声信号を増幅し、各チャンネルのスピーカー出力端子を介して、各チャンネルのスピーカーに出力する。なお、ＤＡＣ５２Ａ、ボリューム調整部５３Ａ、増幅部５４Ａ及びスピーカー出力端子は本例では８チャンネル分設けられている。
【００３３】
図１に示すように、ＨＤＭＩ送信部２２Ａは、ＨＤＭＩ受信部２１から供給されたＨＤＭＩデータを、出力端子３０Ａを介してＡＶアンプ２０Ｂに送信する。
【００３４】
制御部２３Ａは、メモリ２６Ａに格納されているＡＶアンプ２０Ａの動作プログラムに基づいて、ＡＶアンプ２０Ａの各部を制御するものであり、例えば、マイコンやＣＰＵ等である。制御部２３Ａは、ＣＥＣラインを介してＢＤプレーヤ１０の制御部１４に接続され、制御部１４とコマンドを送受信する。また、制御部２３Ａは、ＣＥＣラインを介してＡＶアンプ２０Ｂの制御部２３Ｂに接続され、制御部２３Ｂとコマンドを送受信する。
【００３５】
制御部２３Ａは、ＡＶアンプ２０Ｂの制御部２３Ｂから、図６に示すＡＶアンプ２０Ｂのスピーカー設定テーブルを、ＣＥＣラインを介して取得し、メモリ２６Ａに記憶する。ＡＶアンプ２０Ｂのスピーカー設定テーブルは後述する各処理において使用される。また、制御部２３Ａは、ユーザ操作によって図４に示すＡＶアンプ２０Ａのスピーカー設定テーブルが設定されたとき、スピーカー設定テーブルを、ＣＥＣラインを介してＡＶアンプ２０Ｂの制御部２３Ｂに送信する。
【００３６】
表示部２８Ａは、スピーカー設定テーブルやその他の設定内容等を表示するものであり、ＦＬ管やＬＣＤ等である。電源回路３１Ａは、ＡＶアンプ２０Ａの各部に電源電圧を供給する。
【００３７】
［ＡＶアンプ２０Ｂの構成］
図２に示すように、ＡＶアンプ２０Ｂは、ＨＤＭＩ受信部２１Ｂと、ＨＤＭＩ送信部２２Ｂと、制御部２３Ｂと、音声処理部２５Ｂと、メモリ２６Ｂと、操作部２７Ｂと、表示部２８Ｂと、入力端子２９Ｂと、出力端子３０Ｂと、電源回路３１Ｂとを備える。
【００３８】
メモリ２６Ｂには、図６に示すスピーカー設定テーブルが格納されている。スピーカー設定テーブルは、マルチチャンネル音声データに含まれる各チャンネルの内、ＡＶアンプ２０Ｂが再生してスピーカーに出力するチャンネルを記憶するテーブルである。スピーカー設定テーブルは、操作部２７Ｂを介してユーザ操作によって設定されるが、制御部２３Ｂによって自動的に設定されてもよい。なお、代表的には、図６のスピーカー設定テーブルには、図４のスピーカー設定テーブルとは異なるチャンネルが記憶される。
【００３９】
ＨＤＭＩ受信部２１Ｂは、ＡＶアンプ２０Ａから送信されたＨＤＭＩデータを、入力端子２９Ｂを介して受信し、受信したＨＤＭＩデータから元のマルチチャンネル音声データを生成し、音声処理部２５Ｂに供給する。また、ＨＤＭＩ受信部２１Ｂは、ＨＤＭＩデータから元の映像データを生成し、ＨＤＭＩ送信部２２Ｂに供給する。
【００４０】
音声処理部２５Ｂは、ＨＤＭＩ受信部２１Ｂから供給されたマルチチャンネル音声データに所定の音声処理を実行し、外部に接続されたスピーカー６０Ｂ（図７の各スピーカーに対応）に各チャンネルの音声信号を供給する。
【００４１】
図９は、音声処理部２５Ｂの構成を示すブロック図である。音声処理部２５Ｂは、ＤＳＰ５１Ｂと、ＤＡＣ５２Ｂと、ボリューム調整部５３Ｂと、増幅部５４Ｂとを有する。
【００４２】
ＤＳＰ５１Ｂは、ＨＤＭＩ受信部２１Ｂから供給されたマルチチャンネル音声データの各チャンネルの内、図６に示すスピーカー設定テーブルに設定されているチャンネルの音声データをデコードする。本例では、Ｌｗ，ＲＷ，Ｌｃ，ＲＣ，ＬＦＥ２，Ｌｈ，Ｒｈ，Ｃｈの各チャンネルの音声データがデコードされる。デコードされた各チャンネルの音声データは、ＤＡＣ５２Ｂに供給される。
【００４３】
ＤＡＣ５２Ｂは、ＤＳＰ５１Ｂから供給される各チャンネルの音声データをデジタル−アナログ変換し、各チャンネルのアナログ音声信号を生成し、ボリューム調整部５３Ｂに供給する。ボリューム調整部５３Ｂは、各チャンネルのアナログの音声信号のボリューム値を調整し、増幅部５４Ｂに供給する。増幅部５４Ｂは、ボリューム調整部５３Ｂから供給された各チャンネルの音声信号を増幅して、各チャンネルのスピーカー出力端子を介して、各チャンネルのスピーカーに出力する。なお、ＤＡＣ５２Ｂ、ボリューム調整部５３Ｂ、増幅部５４Ｂ及びスピーカー出力端子は本例では８チャンネル分設けられている。
【００４４】
図２に示すように、ＨＤＭＩ送信部２２Ｂは、ＨＤＭＩ受信部２１Ｂから供給された映像データをＨＤＭＩデータに変換し、変換したＨＤＭＩデータを、出力端子３０Ｂを介してディスプレイ装置４０に送信する。
【００４５】
制御部２３Ｂは、メモリ２６Ｂに格納されているＡＶアンプ２０Ｂの動作プログラムに基づいて、ＡＶアンプ２０Ｂの各部を制御するものであり、例えば、マイコンやＣＰＵ等である。制御部２３Ｂは、ＣＥＣラインを介してＡＶアンプ２０Ａの制御部２３Ａに接続され、制御部２３Ａとコマンドを送受信する。また、制御部２３Ｂは、ＣＥＣラインを介してディスプレイ装置４０の制御部４２に接続され、制御部４２とコマンドを送受信する。
【００４６】
制御部２３Ｂは、ＡＶアンプ２０Ａの制御部２３Ａから図４に示すＡＶアンプ２０Ａのスピーカー設定テーブルを、ＣＥＣラインを介して取得して、メモリ２６Ｂに記憶する。ＡＶアンプ２０Ａのスピーカー設定テーブルは後述する各処理において使用される。また、制御部２３Ｂは、ユーザ操作によって図６に示すＡＶアンプ２０Ｂのスピーカー設定テーブルが設定されたとき、スピーカー設定テーブルを、ＣＥＣラインを介してＡＶアンプ２０Ａの制御部２３Ａに送信する。
【００４７】
表示部２８Ｂは、スピーカー設定テーブルやその他の設定内容等を表示するものであり、ＦＬ管やＬＣＤ等である。電源回路３１Ｂは、ＡＶアンプ２０Ｂの各部に電源電圧を供給する。
【００４８】
［ディスプレイ装置４０の構成］
図２に示すように、ディスプレイ装置４０は、ＨＤＭＩ受信部４１と、制御部４２と、表示部４３と、メモリ４４と、操作部４５と、入力端子４６とを有する。
【００４９】
ＨＤＭＩ受信部４１は、ＡＶアンプ２０ＢのＨＤＭＩ送信部２２Ｂから送信されたＨＤＭＩデータを、入力端子４６を介して受信し、ＨＤＭＩデータから元の映像データを生成し、表示部４３に供給する。表示部４３は、ＨＤＭＩ受信部４１から映像データが供給され、当該映像データに基づいて映像を表示するものであり、ＬＣＤまたはＣＲＴ等である。
【００５０】
制御部４２は、メモリ４４に格納されたディスプレイ装置４０の動作プログラムに基づいて、ディスプレイ装置４０の各部を制御するものであり、例えば、マイコンやＣＰＵ等である。
【００５１】
［音声再生システムの動作］
［スピーカー（チャンネル）設定処理］  
図１０は、ＡＶアンプ２０Ａの制御部２３Ａ、又は、ＡＶアンプ２０Ｂの制御部２３Ｂのスピーカー設定処理を示すフローチャートである。ＡＶアンプ２０Ａ（又はＡＶアンプ２０Ｂ、以下同様。）の制御部２３Ａは、ユーザ操作によって図４に示すスピーカー設定テーブルが設定されたか否かを判断している（Ｓ１）。スピーカー設定テーブルが設定された場合（Ｓ１でＹＥＳ）、制御部２３Ａは、他方のＡＶアンプ２０Ｂの制御部２３Ｂに、ＣＥＣラインを介して、スピーカー設定テーブルの設定内容を送信する（Ｓ２）。
【００５２】
ＡＶアンプ２０Ｂ（又はＡＶアンプ２０Ａ、以下同様。）の制御部２３Ｂは、他方のＡＶアンプ２０Ａの制御部２３Ａから、ＣＥＣラインを介して、図４に示すスピーカー設定テーブルの設定内容を受信したか否かを判断している（Ｓ３）。受信した場合（Ｓ３でＹＥＳ）、制御部２３Ｂは、受信した図４に示すスピーカー設定テーブルをメモリ２６Ｂに記憶する。これにより、ＡＶアンプ２０Ａ及び２０Ｂは、両方のＡＶアンプ２０Ａ及び２０Ｂのスピーカー設定テーブルをメモリに記憶している。なお、ＡＶアンプ２０Ａ（及び２０Ｂ）に、ユーザ操作によって直接、図４に示すＡＶアンプ２０Ａのスピーカー設定テーブルと、図６に示すＡＶアンプ２０Ｂのスピーカー設定テーブルとの両方が設定されてもよい。
【００５３】
［各設定処理］
図１１は、ＡＶアンプ２０Ａの制御部２３Ａ、又は、ＡＶアンプ２０Ｂの制御部２３Ｂの各設定処理を示すフローチャートである。各設定とは、本例ではユーザ操作による音量設定又は遅延量設定である。遅延量設定とは、音声信号の映像信号に対する遅延時間又は映像信号の音声信号に対する遅延時間の設定であり、一般的にはA/V Syncと呼ばれている。
【００５４】
ＡＶアンプ２０Ａ（又はＡＶアンプ２０Ｂ、以下同様。）の制御部２３Ａは、ユーザ操作によって音量又は遅延量が設定されたか否かを判断している（Ｓ５）。音量又は遅延量が設定された場合（Ｓ５でＹＥＳ）、制御部２３Ａは、他方のＡＶアンプ２０Ｂの制御部２３Ｂに、ＣＥＣラインを介して、音量又は遅延量の設定内容を送信する（Ｓ６）。
【００５５】
ＡＶアンプ２０Ｂ（又はＡＶアンプ２０Ａ、以下同様。）の制御部２３Ｂは、他方のＡＶアンプ２０Ａの制御部２３Ａから、ＣＥＣラインを介して、音量又は遅延量の設定内容を受信したか否かを判断している（Ｓ７）。受信した場合（Ｓ７でＹＥＳ）、制御部２３Ｂは受信した音量又は遅延量に、ＡＶアンプ２０Ｂの音量又は遅延量を設定する。
【００５６】
従って、一方のＡＶアンプ２０においてユーザ操作によって音量又は遅延量が変更された場合、他方のＡＶアンプ２０の音量又は遅延量も同じ値に自動的に変更される。従って、ＡＶアンプ２０Ａ及び２０Ｂの両方が、設定されている各チャンネルの音声データを再生する場合にも、同一の音量及び遅延量で再生することができる。
【００５７】
［音声再生処理］
図１２は、ＡＶアンプ２０Ａ、及び、ＡＶアンプ２０Ｂの音声再生処理を示すフローチャートである。なお、破線で示すＳ１２は、ＡＶアンプ２０Ａのみの処理である。ＡＶアンプ２０Ａ（又はＡＶアンプ２０Ｂ、以下同様。）の制御部２３Ａは、ＨＤＭＩデータが入力端子２９Ａを介してＨＤＭＩ受信部２１Ａに入力されたか否かを判断している（Ｓ１１）。入力された場合（Ｓ１１でＹＥＳ）、ＨＤＭＩ受信部２１Ａ、及び、ＨＤＭＩ送信部２２Ｂは、受信したＨＤＭＩデータを他方のＡＶアンプ２０Ｂに転送する（Ｓ１２）。従って、ＡＶアンプ２０Ａ及び２０Ｂには、同一のＨＤＭＩデータが入力される。
【００５８】
ＨＤＭＩ受信部２１Ａは、ＨＤＭＤＩデータからマルチチャンネル音声データを生成し、音声処理部２５Ａに供給する。音声処理部２５ＡのＤＳＰ５１Ａは、マルチチャンネル音声データのヘッダをデコードし、ヘッダに含まれているチャンネル情報を読み出し、制御部２３Ａに供給する（Ｓ１３）。制御部２３Ａは、チャンネル情報を解析し、マルチチャンネル音声データの中に、ＡＶアンプ２０Ａで設定されているチャンネル（つまり、図４のスピーカー設定テーブルに記憶されているチャンネル）の音声データが含まれているか否かを、図４のスピーカー設定テーブルを参照して、判断する（Ｓ１４）。
【００５９】
マルチチャンネル音声データに、Ｌ，Ｒ，Ｃ，ＬＦＥ，Ｌｓ，Ｒｓ，Ｌｗ，Ｒｗの音声データが含まれている場合、Ｌ，Ｒ，Ｃ，ＬＦＥ，Ｌｓ，ＲｓがＡＶアンプ２０Ａによって設定されているので（Ｓ１４でＹＥＳ）、制御部２３Ａは、設定されているチャンネルの音声データをデコードするようにＤＳＰ５１Ａに指示する（Ｓ１５）。ＤＳＰ５１Ａは、マルチチャンネル音声データの中から、Ｌ，Ｒ，Ｃ，ＬＦＥ，Ｌｓ，Ｒｓをデコードする（Ｓ１５）。そして、これらのチャンネルの音声データは、ＤＡＣ５２Ａでアナログ信号に変換され、ボリューム調整部５３Ａで音量調整され、増幅部５４Ａで増幅されて、スピーカー出力端子を介して、スピーカーＳＬ，ＳＲ，ＳＣ，ＳＬＦＥ，ＳＬｓ，ＳＲｓに出力される（Ｓ１６）。
【００６０】
同様に、ＡＶアンプ２０Ｂにおいては、マルチチャンネル音声データに、Ｌ，Ｒ，Ｃ，ＬＦＥ，Ｌｓ，Ｒｓ，Ｌｗ，Ｒｗの音声データが含まれている場合、Ｌｗ，ＲＷがＡＶアンプ２０Ｂによって設定されているので（Ｓ１４でＹＥＳ）、制御部２３Ｂは、設定されているチャンネルの音声データをデコードするようにＤＳＰ５１Ｂに指示する（Ｓ１５）。ＤＳＰ５１Ｂは、マルチチャンネル音声データの中から、Ｌｗ，Ｒｗをデコードする（Ｓ１５）。そして、これらのチャンネルの音声データは、ＤＡＣ５２Ｂでアナログ信号に変換され、ボリューム調整部５３Ｂで音量調整され、増幅部５４Ｂで増幅されて、スピーカー出力端子を介して、スピーカーＳＬｗ，ＳＲｗに出力される（Ｓ１６）。
【００６１】
なお、マルチチャンネル音声データに、Ｌ，Ｒ，Ｃ，ＬＦＥ，Ｌｓ，Ｒｓの音声データが含まれている場合、ＡＶアンプ２０Ａにおいては、Ｌ，Ｒ，Ｃ，ＬＦＥ，Ｌｓ，ＲｓがＡＶアンプ２０Ａによって設定されていると判断され（Ｓ１４でＹＥＳ）、ＡＶアンプ２０Ａはこれらのチャンネルの音声データを再生する（Ｓ１５、Ｓ１６）。一方、ＡＶアンプ２０Ｂにおいては、マルチチャンネル音声データに含まれるいずれのチャンネルもＡＶアンプ２０Ｂには設定されていないと判断され（Ｓ１４でＮＯ）、ＡＶアンプ２０Ｂはいずれのチャンネルの音声データも再生しない。
【００６２】
［他の実施形態１］
本例では、ＡＶアンプ２０Ａは、ＡＶアンプ２０ＢにＨＤＭＩデータをそのまま転送するのではなく、ＡＶアンプ２０Ｂで設定されているチャンネルの音声データのみ（及び、必要に応じて映像データ）を含むＨＤＭＩデータをＡＶアンプ２０Ｂに送信する。これにより、ＡＶアンプ２０ＡからＡＶアンプ２０Ｂに転送されるＨＤＭＩデータのデータ量を小さくすることができる。
【００６３】
図１３は、ＡＶアンプ２０Ａの処理を示すフローチャートであり、図１２と同一処理には同一符号を付す。ＡＶアンプ２０Ａの制御部２３Ａは、チャンネル情報を解析し、マルチチャンネル音声データの中に、ＡＶアンプ２０Ｂで設定されているチャンネル（つまり、図６のスピーカー設定テーブルに設定されているチャンネル）の音声データが含まれているか否かを、図６のスピーカー設定テーブルを参照して、判断する（Ｓ２１）。
【００６４】
マルチチャンネル音声データに、Ｌ，Ｒ，Ｃ，ＬＦＥ，Ｌｓ，Ｒｓ，Ｌｗ，Ｒｗの音声データが含まれている場合、Ｌｗ，ＲＷがＡＶアンプ２０Ｂによって設定されているので（Ｓ２１でＹＥＳ）、制御部２３Ａは、設定されているチャンネルＬｗ，Ｒｗの音声データを抽出するようにＤＳＰ５１Ａに指示する。ＤＳＰ５１Ａは、マルチチャンネル音声データの中から、Ｌｗ，Ｒｗを抽出する。これらのチャンネルＬｗ，Ｒｗの音声データは、ＨＤＭＩ送信部２２ＡにおいてＨＤＭＩデータに変換され、変換されたＨＤＭＩデータがＡＶアンプ２０Ｂに送信される。ＡＶアンプ２０Ｂの処理は、受信したＨＤＭＩデータに含まれているＬＷ，Ｒｗの音声データを再生するだけでよい。
【００６５】
なお、マルチチャンネル音声データに、Ｌ，Ｒ，Ｃ，ＬＦＥ，Ｌｓ，Ｒｓの音声データが含まれている場合、マルチチャンネル音声データにはＡＶアンプ２０Ｂによって設定されているチャンネルが含まれていないので（Ｓ２１でＮＯ）、ＡＶアンプ２０ＡはＡＶアンプ２０Ｂに音声データを送信しない（必要に応じて、映像データのみを含むＨＤＭＩデータを送信する）。
【００６６】
［他の実施形態２］
上記実施形態ではＡＶアンプ２０Ａ，２０Ｂの両方で設定されていないチャンネルの音声データについては再生することができない。本例では、ＡＶアンプ２０Ａ及び２０Ｂの両方で設定されていないチャンネルの音声データを、ＡＶアンプ２０Ａ（又はＡＶアンプ２０Ｂ）で設定されているチャンネルの音声データに混合することによって、再生する。
【００６７】
図１４はＡＶアンプ２０Ａの処理を示すフローチャートであり、図１２と同一の処理には同一符号を付す。なお、ＡＶアンプ２０Ｂの処理は図１２の処理と同じでよい。ＡＶアンプ２０Ａの制御部２３Ａは、チャンネル情報を解析し、マルチチャンネル音声データの中に、ＡＶアンプ２０Ａ及び２０Ｂのいずれにも設定されていないチャンネル（つまり、図４，図６のスピーカー設定テーブルのいずれにも設定されていないチャンネル）の音声データが含まれているか否かを、図４，図６のスピーカー設定テーブルを参照して、判断する（Ｓ３１）。
【００６８】
マルチチャンネル音声データに、Ｌ，Ｒ，Ｃ，ＬＦＥ，Ｌｓ，Ｒｓ，Ｌｗ，Ｒｗ，Ｌｓｄ，Ｒｓｄの音声データが含まれている場合、Ｌｓｄ，ＲｓｄがＡＶアンプ２０Ａ及び２０Ｂのどちらにも設定されていないので（Ｓ３１でＹＥＳ）、制御部２３Ａは、Ｌｓｄ，Ｒｓｄの音声データをデコードして、所定のチャンネルの音声データに混合するように音声処理部２５Ａに指示する。所定のチャンネルは、例えば、図３を参照して、混合するチャンネルに最も近い位置のチャンネルに予め設定されている。例えば、Ｌｓｄは最も近いＬｓに混合し、Ｒｓｄは最も近いＲｓに混合するように定められている。音声処理部２５Ａにおいて、ＤＳＰ５１ＡがＬｓｄ，Ｒｓｄの音声データをデコードし、ＤＡＣ５２Ａにおいてアナログ信号に変換された後、ＬｓｄがＬｓに混合され、ＲｓｄがＲｓに混合される。従って、スピーカーＳＬｓにはＬｓとＬｓｄとが混合された音声信号が出力され、スピーカーＳＲｓにはＲｓとＲｓｄとが混合された音声信号が出力される。なお、複数のチャンネルの音声信号を混合して出力するための回路構成自体は周知のスイッチ回路等によって構成されている。
【００６９】
なお、マルチチャンネル音声データに、Ｌ，Ｒ，Ｃ，ＬＦＥ，Ｌｓ，Ｒｓ，Ｌｗ，Ｒｗの音声データが含まれている場合、ＡＶアンプ２０Ａ及び２０Ｂのいずれにも設定されていないチャンネルは含まれていないので（Ｓ３１でＮＯ）、混合することなく各チャンネルの音声データを再生する。
【００７０】
また、マルチチャンネル音声データに、Ｌ，Ｒ，Ｃ，ＬＦＥ，Ｌｗ，Ｒｗ，Ｌｓｄ，Ｒｓｄの音声データが含まれ、Ｌｓ，Ｒｓが含まれていない場合、ＬｓｄをＬｓに混合したと仮定してＬｓｄのみをスピーカーＳＬｓに出力し、ＲｓｄをＲｓに混合したと仮定してＲｓｄのみをスピーカーＳＲｓに出力する。
【００７１】
本例においても、他の実施形態１のように、ＡＶアンプ２０Ａが、ＡＶアンプ２０Ｂに設定されているチャンネルの音声データのみを含むＨＤＭＩデータをＡＶアンプ２０Ｂに送信するようにしてもよい。
【００７２】
［他の実施形態３］
本例では、ＡＶアンプ２０Ａ（ＡＶアンプ２０Ｂも同様）は、通状状態と低消費電力状態とを有している。通常状態は、ＡＶアンプ２０Ａの増幅部５４Ａを含む各部に電源回路３１Ａから電源電圧が供給されている状態であり、音声データを増幅してスピーカーに出力できる状態である。低消費電力状態は、ＡＶアンプ２０Ａの増幅部５４Ａには電源回路３１Ａから電源電圧が供給されず、増幅部５４Ａが動作を停止し、消費電力を低減した状態である。低消費電力状態において、表示部２８Ａ等にも電源電圧を供給しないようにしてもよい。低消費電力状態でも、制御部２３Ａ等の必要な部分には電源電圧が供給されている。本例では、マルチチャンネル音声データにＡＶアンプ２０Ａで設定されているチャンネルが含まれない場合に、少なくとも増幅部５４Ａは動作する必要がないので、ＡＶアンプ２０Ａが低消費電力状態に移行することによって、消費電力を低減する。一方、マルチチャンネル音声データにＡＶアンプ２０Ａで設定されているチャンネルが含まれる場合に、通常状態に移行することによって、設定されているチャンネルの音声信号を増幅してスピーカーに出力することができる。
【００７３】
図１５は、ＡＶアンプ２０Ａ（及びＡＶアンプ２０Ｂ、以下同様）の処理を示すフローチャートであり、図１２と同一の処理ついて同一符号を付す。ＡＶアンプ２０Ａの制御部２３Ａは、チャンネル情報を解析し、マルチチャンネル音声データの中に、ＡＶアンプ２０Ａで設定されているチャンネル（つまり、図４のスピーカー設定テーブルに設定されているチャンネル）の音声データが含まれているか否かを、図４のスピーカー設定テーブルを参照して、判断する（Ｓ１４）。
【００７４】
マルチチャンネル音声データに、Ｌ，Ｒ，Ｃ，ＬＦＥ，Ｌｓ，Ｒｓ，Ｌｗ，Ｒｗの音声データが含まれている場合、Ｌ，Ｒ，Ｃ，ＬＦＥ，Ｌｓ，ＲｓがＡＶアンプ２０Ａによって設定されているので（Ｓ１４でＹＥＳ）、制御部２３Ａは、ＡＶアンプ２０Ａが低消費電力状態であるか否かを判断する（Ｓ４１）。低消費電力状態であるか否かは電源回路３１Ａからの電源電圧が増幅部５４Ａに供給されているか否かを判断することによって判断される。低消費電力状態であれば（Ｓ４１でＹＥＳ）、制御部２３Ａは、ＡＶアンプ２０Ａを低消費電力状態から通常状態に移行させた後（Ｓ４２）、Ｌ，Ｒ，Ｃ，ＬＦＥ，Ｌｓ，Ｒｓを再生させる（Ｓ１５，Ｓ１６）。一方、低消費電力状態でなければ（Ｓ４１でＮＯ）、既に通常状態であるので、制御部２３Ａは、Ｌ，Ｒ，Ｃ，ＬＦＥ，Ｌｓ，Ｒｓを再生させる（Ｓ１５，Ｓ１６）。
【００７５】
マルチチャンネル音声データに、Ｌｗ，Ｒｗの音声データが含まれている場合、ＡＶアンプ２０Ａによって設定されているチャンネルが含まれていないので（Ｓ１４でＮＯ）、制御部２３Ａは、ＡＶアンプ２０Ａが低消費電力状態であるか否かを判断する（Ｓ４３）。低消費電力状態でなければ（Ｓ４３ＮＯ）、制御部２３Ａは、ＡＶアンプ２０Ａを通常状態から低消費電力状態に移行させ（Ｓ４４）、処理を終了する。一方、低消費電力状態であれば（Ｓ４３でＹＥＳ）、処理を終了する。
【００７６】
以上のように、マルチチャンネル音声データにＡＶアンプ２０で設定されているチャンネルが含まれておらず、音声データをスピーカーに出力する必要がないＡＶアンプ２０は低消費電力状態に移行することにより、消費電力を低減することができる。
【００７７】
本例においても、他の実施形態１のように、ＡＶアンプ２０Ａが、ＡＶアンプ２０Ｂに設定されているチャンネルの音声データのみを含むＨＤＭＩデータをＡＶアンプ２０Ｂに送信するようにしてもよい。
【００７８】
［他の実施形態４］
本例は、他の実施形態３の変形例であり、ＡＶアンプ２０Ａが、マルチチャンネル音声データにＡＶアンプ２０Ｂで設定されているチャンネルが含まれているか否かを判断し、含まれていなければ、低消費電力状態に移行するようにＡＶアンプ２０Ｂに指示する。図１６は、ＡＶアンプ２０Ａの処理を示すフローチャートであり、図１５と同一の処理には同一符号を付す。図１７はＡＶアンプ２０Ｂの処理を示すフローチャートである。
【００７９】
図１６に示すように、ＡＶアンプ２０Ａの制御部２３Ａは、チャンネル情報を解析し、マルチチャンネル音声データの中に、ＡＶアンプ２０Ｂで設定されているチャンネル（つまり、図６のスピーカー設定テーブルに設定されているチャンネル）の音声データが含まれているか否かを、図６のスピーカー設定テーブルを参照して、判断する（Ｓ５１）。
【００８０】
マルチチャンネル音声データに、Ｌ，Ｒ，Ｃ，ＬＦＥ，Ｌｓ，Ｒｓ，Ｌｗ，Ｒｗの音声データが含まれている場合、Ｌｗ，ＲＷがＡＶアンプ２０Ｂによって設定されているので（Ｓ５１でＹＥＳ）、制御部２３Ａは、通常モードに移行する指示を、ＣＥＣラインを介して、ＡＶアンプ２０Ｂの制御部２３Ｂに送信する（Ｓ５２）。一方、マルチチャンネル音声データに、Ｌ，Ｒ，Ｃ，ＬＦＥ，Ｌｓ，Ｒｓの音声データが含まれている場合、ＡＶアンプ２０Ｂによって設定されているチャンネルが含まれないので（Ｓ５１でＮＯ）、制御部２３Ａは、低消費電力状態に移行する指示を、ＣＥＣラインを介して、ＡＶアンプ２０Ｂの制御部２３Ｂに送信する（Ｓ５３）。
【００８１】
図１７に示すように、ＡＶアンプ２０Ｂの制御部２３Ｂは、低消費電力状態に移行する指示を、ＣＥＣラインを介して、ＡＶアンプ２０Ａの制御部２３Ａから受信したか否かを判断している（Ｓ６１）。受信した場合（Ｓ６１でＹＥＳ）、制御部２３Ｂは、ＡＶアンプ２０Ｂを低消費電力状態に移行させる（Ｓ６２）。従って、無駄な消費電力を低減することができる。
【００８２】
また、ＡＶアンプ２０Ｂの制御部２３Ｂは、通常状態に移行する指示を、ＣＥＣラインを介して、ＡＶアンプ２０Ａの制御部２３Ａから受信したか否かを判断している（Ｓ６３）。受信した場合（Ｓ６３でＹＥＳ）、制御部２３Ｂは、ＡＶアンプ２０Ｂを通常状態に移行させる（Ｓ６４）。
【００８３】
本例においても、他の実施形態１のように、ＡＶアンプ２０Ａが、ＡＶアンプ２０Ｂに設定されているチャンネルの音声データのみを含むＨＤＭＩデータをＡＶアンプ２０Ｂに送信するようにしてもよい。
【００８４】
［他の実施形態５］
本例では、ＡＶアンプ２０Ａが、第１のマルチチャンネル音声データと、第２のマルチチャンンル音声データとを同時受信する場合に、ＡＶアンプ２０Ａ及び２０Ｂのスピーカー設定テーブルに基づいて、どちらのマルチチャンネル音声データを再生するかを選択する。
【００８５】
例えば、第１のマルチチャンネル音声データがＬ，Ｒ，Ｃ，ＬＦＥ，Ｌｓ，Ｒｓ，Ｌｗ，Ｒｗを含み、第２のマルチチャンネル音声データがＬ，Ｒ，Ｃ，ＬＦＥ，Ｌｓ，Ｒｓを含む場合、ＡＶアンプ２０Ａの制御部２３Ａは、図４及び図６のスピーカー設定テーブルを参照し、第１のマルチチャンネル音声データを再生する音声データとして選択する。従って、Ｌ，Ｒ，Ｃ，ＬＦＥ，Ｌｓ，ＲｓがＡＶアンプ２０Ａによって再生され、Ｌｗ，ＲｗがＡＶアンプ２０Ｂによって再生される。一方、図６のスピーカー設定テーブルにおいてＬｗ，Ｒｗが設定されていない場合には、ＡＶアンプ２０Ａの制御部２３Ａは、第２のマルチチャンネル音声データを再生する音声データとして選択する。従って、Ｌ，Ｒ，Ｃ，ＬＦＥ，Ｌｓ，ＲｓがＡＶアンプ２０Ａによって再生される。第２のマルチチャンネル音声データには、第１のマルチチャンネル音声データにおけるＬｗがＬに混合されており、ＲｗがＲに混合されている場合があるので、第２のマルチチャンネル音声データを再生することによって、Ｌｗ，Ｒｗの成分も再生することができる。
【００８６】
本例においても、他の実施形態１のように、ＡＶアンプ２０Ａが、ＡＶアンプ２０Ｂに設定されているチャンネルの音声データのみを含むＨＤＭＩデータをＡＶアンプ２０Ｂに送信するようにしてもよい。
【００８７】
以上、本発明の好ましい実施形態を説明したが、本発明はこれらの実施形態には限定されない。ＢＤプレーヤ１０からのＨＤＭＩデータが直接ＡＶアンプ２０Ａ及び２０Ｂに供給されてもよい。ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＤＳＰ、マイコンなどの電子部品という形態で提供されてもよい。
【産業上の利用可能性】
【００８８】
本発明は、ＡＶアンプ等に好適に採用され得る。
【図面の簡単な説明】
【００８９】
【図１】ＢＤプレーヤ１０及びＡＶアンプ２０Ａを示すブロック図である。
【図２】ＡＶアンプ２０Ｂ及びディスプレイ装置４０を示すブロック図である。
【図３】マルチチャンネル音声データに含まれるチャンネルの位置を示す図である。
【図４】ＡＶアンプ２０Ａに設定されるスピーカー設定テーブルを示す図である。
【図５】ＡＶアンプ２０Ａに接続されるスピーカーの配置を説明する図である。
【図６】ＡＶアンプ２０Ｂに設定されるスピーカー設定テーブルを示す図である。
【図７】ＡＶアンプ２０Ｂに接続されるスピーカーの配置を説明する図である。
【図８】音声処理装置２５Ａの構成を示すブロック図である。
【図９】音声処理装置２５Ｂの構成を示すブロック図である。
【図１０】スピーカー設定処理を示すフローチャートである。
【図１１】各設定処理を示すフローチャートである。
【図１２】音声再生処理を示すフローチャートである。
【図１３】音声再生処理を示すフローチャートである。
【図１４】音声再生処理を示すフローチャートである。
【図１５】音声再生処理を示すフローチャートである。
【図１６】音声再生処理を示すフローチャートである。
【図１７】通常状態又は低消費電力状態に移行する処理を示すフローチャートである。
【符号の説明】
【００９０】
１０              ＢＤプレーヤ
２０Ａ，２０Ｂ    ＡＶアンプ
２１Ａ，２１Ｂ    ＨＤＭＩ受信部
２２Ａ，２２Ｂ    ＨＤＭＩ送信部
２３Ａ，２３Ｂ    制御部
２５Ａ，２５Ｂ    音声処理部
２６Ａ，２６Ｂ    メモリ
２７Ａ，２７Ｂ    操作部
２８Ａ，２８Ｂ    表示部
２９Ａ，２９Ｂ    入力端子
３０Ａ，３０Ｂ    出力端子
３１Ａ，３１Ｂ    電源回路
４０              ディスプレイ装置
【図１】
2010226317.tif 000003
【図２】
2010226317.tif 000004
【図３】
2010226317.tif 000005
【図４】
2010226317.tif 000006
【図５】
2010226317.tif 000007
【図６】
2010226317.tif 000008
【図７】
2010226317.tif 000009
【図８】
2010226317.tif 000010
【図９】
2010226317.tif 000011
【図１０】
2010226317.tif 000012
【図１１】
2010226317.tif 000013
【図１２】
2010226317.tif 000014
【図１３】
2010226317.tif 000015
【図１４】
2010226317.tif 000016
【図１５】
2010226317.tif 000017
【図１６】
2010226317.tif 000018
【図１７】
2010226317.tif 000019